(57)【特許請求の範囲】
【請求項１】
直径が０．２ｍｍ以下であってピッチが０．５ｍｍ以下に配置された複数の貫通孔を有し、厚さが０．１５ｍｍ以下の平面又は曲面からなる金属板を有する装飾用金属板において、
前記金属板は、複数の貫通孔を有する領域の一部にレーザー加工痕、ヘアライン加工痕、スピン加工痕、ブラスト加工痕又はエッチング加工痕による記号、模様、文字又は絵の情報表示を有する装飾が表面に施されてなり、
前記金属板の背面には、前記金属板とは異なる情報表示を有し、光が透過可能なプラスチックシート、フィルム、紙、和紙、乳半板又は文字抜き金属板からなる背面側装飾部材が設けられており、
前記装飾がされた面の反対側から光を照射しない場合には、前記金属板の情報表示からなる装飾が視認でき、
前記装飾がされた面の反対側から光を照射した場合には、前記金属板の表面の情報表示からなる装飾の視認性を低減又は表面の装飾を視認できなくすることができ、かつ前記背面側装飾部材の情報表示を視認することができることを特徴とする装飾用金属板。
【請求項２】
前記金属板は、さらに複数の前記貫通孔によって、記号、模様、文字又は絵からなる情報表示の形状が形成されていることを特徴とする請求項１に記載の装飾用金属板。
【請求項３】
前記金属板は、全体が着色されていることを特徴とする請求項１又は２に記載の装飾用金属板。
【請求項４】
前記金属板の正面に、前記貫通孔を覆うように被覆層又はカバー部材を備えていることを特徴とする請求項１から３のいずれか１項に記載の装飾用金属板。
【請求項５】
前記被覆層又は前記カバー部材は、透明なプラスチック、ガラス、透明なフィルム又は透明なシートであることを特徴とする請求項４に記載の装飾用金属板。
【請求項６】
前記被覆層又は前記カバー部材の表面は、ブラスト加工痕、スピン加工痕、彫刻加工痕、プレス加工痕、ブラスト加工痕その他の切削加工痕又はレーザー加工痕で装飾されていることを特徴とする請求項４又は５に記載の装飾用金属板。
【請求項７】
請求項１から６のいずれか１項に記載の装飾用金属板と、
背面側に配置された照明器具と、
を備えたことを特徴とする表示部材。
【請求項８】
前記装飾用金属板は、筒状に形成されてなり、
筒状内側に配置された照明器具と、
を備えたことを特徴とする請求項７に記載の表示部材。
【発明の詳細な説明】
【技術分野】
【０００１】
本発明は、金属板及び表示部材に関する。
【背景技術】
【０００２】
複数の細孔を形成した金属板として、例えば、液体、粉体及び各種の流動体内に含まれる金属異物、プラスチック、ゴム、虫類、毛髪等の要除去物を除去するためのフィルタであって、該フィルタは各種形状の板材にこの板厚よりも小さい多数の細孔を設けたものからなることを特徴とする異物除去用フィルタが提案されている。
【０００３】
しかしながら、かかる細孔を有する金属板は、主にフィルタとして使用されているものである。
【先行技術文献】
【特許文献】
【０００４】
【特許文献１】実用新案登録第３１６４１５１号
【発明の概要】
【発明が解決しようとする課題】
【０００５】
本発明は、細孔を有する金属板を利用して、表面の装飾の視認性を変化させることができる金属板及びこの金属板を使用した表示部材を提供することを主目的とする。
【課題を解決するための手段】
【０００６】
本発明は、上述の主目的を達成するために、以下の手段を採った。
【０００７】
本発明にかかる金属板は直径が１．０ｍｍ以下であってピッチが２．０ｍｍ以下に配置された複数の貫通孔を有し、厚さが５．０ｍｍ以下の平面又は曲面からなる金属板において、
２．０ｍｍ以下の凹凸による線、点、面、外周の境界の段差による凹面又は凸面及び着色から選択される１又は２以上の組み合わせで形成されている記号、模様、文字又は絵その他の情報表示を有する装飾が表面に施されていることを特徴とする。
【０００８】
本発明にかかる金属板は、金属板の厚さ、貫通孔の大きさ、貫通孔同士のピッチを調整することによって貫通孔の存在をそれほど認識させることなく、表面に施された装飾を視認させることができる。かかる金属板によれば、装飾が施された面側（以下「正面側」という。）に対して反対の面側（以下「背面側」という。）から光を照射しない場合には装飾が視認でき、背面側から光を照射した場合には、表面の装飾の視認性を低減又は視認できなくすることができる。さらに、背面側に物体又は表示体が存在する場合には、背面側から光を照射しない場合には、背面側の物体を視認しづらいか又は視認することができず、背面側から光を照射した場合には、背面側の物体又は表示体を視認可能とすることができる。
【０００９】
また、本発明にかかる金属板において、複数の前記貫通孔によって、記号、模様、文字又は絵等からなる情報表示の形状に形成されていることを特徴とするものであってもよい。かかる構成を採用することにより、前述した効果に加え、背面側から光を照射した場合に、貫通孔によって形成された情報表示が光って明瞭に貫通孔による情報表示を視認させることができる。
【００１０】
また、本発明にかかる金属板において、前記装飾はレーザー加工痕であることを特徴とするものであってもよい。前記装飾をレーザー加工痕によって金属板の表面に記号、模様、文字又は絵等の情報を表示させることで、より効果的に、背面側から光を照射しない場合には装飾が視認でき、背面側から光を照射した場合には、表面の装飾の視認性を低減又は視認できなくすることができる。
【００１１】
さらに、本発明にかかる金属板において、前記装飾は、ヘアライン加工痕、スピン加工痕、彫刻加工痕、プレス加工痕、ブラスト加工痕その他の切削加工痕であることを特徴とするものであってもよい。装飾を切削加工痕とすることで、より効果的に背面側から光を照射しない場合には装飾が視認でき、背面側から光を照射した場合には、表面の装飾の視認性を低減又は視認できなくすることができる。なお、表面研磨加工の場合には、必要に応じてマスキングにより所定の模様等を表現するマスクブラスト、マスクスピン又はマスクヘアライン等を使用してもよい。
【００１２】
さらに、本発明にかかる金属板において、前記装飾は、エッチング加工痕であることを特徴とするものであってもよい。装飾をエッチング加工痕とすることで、より効果的に背面側から光を照射しない場合には装飾が視認でき、背面側から光を照射した場合には、表面の装飾の視認性を低減又は視認できなくすることができる。
【００１３】
さらに、本発明にかかる金属板において、前記装飾は、印刷、酸化発色等の電解発色処理、イオンプレーディング、蒸着、スパッタリング等の物理気相成長法（ＰＶＤ）、プラズマＣＶＤ等の化学気相成長法（ＣＶＤ）による発色部等の着色により形成されていることを特徴とするものであってもよい。これにより、装飾に使用する金属板として意匠性を向上させることができる。着色には、印刷の他、酸化発色等の電解発色処理、イオンプレーディング、蒸着、スパッタリング等の物理気相成長法（ＰＶＤ）、プラズマＣＶＤ等の化学気相成長法（ＣＶＤ）等の種々の方法を使用することができる。また、必要に応じてマスキングにより、記号、模様、文字又は絵その他の情報表示を装飾として表示させることができる。
【００１４】
さらに、本発明にかかる金属板において、前記表面は、全体又は一部にブラスト処理痕が形成されていることを特徴とするものであってもよい。かかる構成を採用することによって、表面全体の質感を変更させることができ、背面側から光を照射した場合にブラスト処理痕を視認できなくする効果を有する。ブラスト処理痕は、金属板全体又は一部にブラストをかけることによって表面全体の質感を変更させるものであり、一部に情報表示を有する装飾として加工するブラスト加工痕とは異なる。
【００１５】
さらに、本発明にかかる金属板において、前記金属板は、全体が着色されていることを特徴とするものであってもよい。かかる構成を採用することによって、金属板全体の意匠性を向上させることができる。かかる着色も、印刷の他、酸化発色等の電解発色処理、イオンプレーディング、蒸着、スパッタリング等の物理気相成長法（ＰＶＤ）、プラズマＣＶＤ等の化学気相成長法（ＣＶＤ）等の種々の方法を使用することができる。また、必要に応じてマスキングにより、記号、模様、文字又は絵その他の情報表示を装飾として表示させることができる。
【００１６】
さらに、本発明にかかる金属板において、前記金属板は、アルミニウムからなり、ダイレクト印刷面又はアルマイト処理面を有することを特徴とするものであってもよい。かかる構成を採用することによって、アルマイト処理によって表面を着色（ダイレクト印刷を含む。）することによって、装飾性の向上に加えて、表面の耐久性の向上も図ることができる。
【００１７】
さらに、本発明にかかる金属板において、前記金属板は、ステンレスであり、表面が酸化発色等の電解発色処理、イオンプレーディング、蒸着、スパッタリング等の物理気相成長法（ＰＶＤ）、プラズマＣＶＤ等の化学気相成長法（ＣＶＤ）による発色部を有することを特徴とするものであってもよい。かかる構成を採用することによって、電解発色等によって表面を着色することによって、装飾性の向上に加えて、表面の耐久性の向上も図ることができる。
【００１８】
さらに、本発明にかかる金属板において、前記金属板の正面又は背面若しくはその両方に、前記貫通孔を覆うように被覆層又はカバー部材を備えていることを特徴とするものであってもよい。かかる構成を採用することによって、貫通孔が塵、ダスト等によって目詰まりする可能性を低減することができる。被覆層としては、例えば、樹脂を塗布したり又は樹脂インサート成形等により金属板に樹脂が被覆された状態、ガラスインサート成形により表面にガラスが被覆された状態等が含まれる。カバー部材としては、例えば、成形された樹脂板やガラス板を後工程で接着して合わせ板とする場合が含まれる。インサート成形においては、樹脂又はガラスの内部だけでなく、表面に配置された状態も含む。
【００１９】
さらに、本発明にかかる金属板において、前記被覆層又は前記カバー部材は、透明なプラスチック、ガラス、透明なフィルム又は透明なシートであることを特徴とするものであってもよい。かかる構成を採用することによって、背面側から光を照射した際に光がプラスチック板又はガラス板の表面で反射によって拡散されたり、内部に入射された後に拡散されたりするため、金属板表面の記号、模様、文字又は絵等からなる情報表示をより効果的に視認しづらくすることができる。
【００２０】
さらに、本発明にかかる金属板において、前記被覆層又は前記カバー部材の表面は、ブラスト加工痕、スピン加工痕、彫刻加工痕、プレス加工痕、ブラスト加工痕その他の切削加工痕、レーザー加工痕又は着色で装飾されていることを特徴とするものであってもよい。かかる構成を採用することによって、金属板の正面側又は背面側に配置されたカバー部材に情報表示を表示することができる。
【００２１】
さらに、本発明にかかる金属板において、前記金属板の背面に着色又は情報表示が施された背面側装飾部材が設けられていることを特徴とするものであってもよい。例えば、着色又は情報表示が施された光透過性シート、フィルム、紙を金属板に接着したり、樹脂インサート成形又はガラスインサート成形された成形品に印刷を施したり、若しくは着色又は情報表示が施された光透過性シート、フィルム等をフィルムインサートする方法等が考えられる。かかる構成を採用することによって、背面側から光を照射していないときは、金属板の情報表示を表示することができ、背面側から光を照射しているときは、背面側装飾部材の情報表示を表示することができる。
【００２２】
さらに、本発明にかかる金属板において、前述した金属板の背面に、直径が１．０ｍｍ以下であってピッチが２．０ｍｍ以下に配置された複数の貫通孔を有する厚さ５．０ｍｍ以下の第２金属板が重ねられていることを特徴とするものであってもよい。かかる構成を採用することによって、モアレ効果を有する金属板とすることができる。
【００２３】
また、本発明は前述した金属板を使用した表示部材を提供する。本発明にかかる表示部材は、前述した金属板と、背面側に配置された照明器具と、を備えたことを特徴とする。かかる構成を採用することによって、照明器具の点灯、消灯又は点滅によって、意図的に装飾の視認性を低減させたり視認できなくさせたり、又ははっきりと視認できるようにしたりといった演出ができる表示部材を提供することができる。
【００２４】
さらに、本発明にかかる表示部材において、前記金属板と前記照明器具との間に着色又は情報表示が施された背面側装飾部材が配置されていることを特徴とするものであってもよい。かかる構成を採用することによって、照明器具の点灯、消灯又は点滅によって背面側装飾部材を視認させたり、視認できないようにしたりすることができる。
【００２５】
さらに、本発明にかかる表示部材において、前記背面側装飾部材は、記号、模様、文字又は絵その他の情報表示を有する装飾が施されていることを特徴とするものであってもよい。かかる構成を採用することによって、照明器具の点灯、消灯又は点滅によって金属板の装飾を表示させたり、金属板の装飾の視認性を低減して背面側装飾部材の情報表示を表示させたりすることができる。
【００２６】
さらに、本発明にかかる表示部材において、前記金属板は、筒状に形成されてなり、かつ筒状内側に配置された照明器具を備えたことを特徴とするものであってもよい。かかる構成を採用することによって、３６０°すべての方向に対して、表示機能を有する表示部材とすることができる。
【００２７】
また、本発明は、
直径が１．０ｍｍ以下であってピッチが２．０ｍｍ以下に配置された複数の貫通孔を有する厚さ５．０ｍｍ以下の金属板と、
背面側に配置された照明器具と、
を備えたことを特徴とする表示部材を提供する。
【００２８】
かかる構成を採用することによって、背面側から光を照射しない場合には、背面側の照明器具の視認性を低減又は視認できなくし、背面側から光を照射した場合には、背面側の照明器具を視認可能とする表示部材を提供することができる。
【００２９】
さらに、本発明にかかる表示部材において、前記金属板と前記照明器具との間に着色又は情報表示が施された背面側装飾部材が配置されていることを特徴とするものであってもよい。かかる構成を採用することによって、背面側から光を照射しない場合には、背面側の背面側装飾部材の視認性を低減又は視認できなくし、背面側から光を照射した場合には、背面側の背面側装飾部材を視認可能とすることができる。
【００３０】
さらに、本発明にかかる表示部材において、前記背面側装飾部材は、記号、模様、文字又は絵その他の情報表示を有する装飾が施されていることを特徴とするものであってもよい。かかる構成を採用することによって、照明器具の点灯、消灯又は点滅によって背面側装飾部材の情報表示を表示させたり、表示させなかったりすることができる。
【図面の簡単な説明】
【００３１】
【図１】図１は、第１実施形態にかかる金属板１の正面模式図である。
【図２】図２は、第１実施形態にかかる金属板１に対して背面側から光を照射していない場合の状態を示す正面模式図である。
【図３】図３は、第１実施形態にかかる金属板１に対して背面側から光を照射した場合の状態を示す正面模式図である。
【図４】図４は、第１実施形態にかかる金属板１の１例を示す正面写真である。
【図５】図５は、第１実施形態にかかる金属板１に背面から光を照射した状態を示す正面写真である。
【図６】図６は、第２実施形態にかかる金属板１を示す正面模式図である。
【図７】図７は、第２実施形態にかかる金属板１の別実施形態を示す斜視図及び断面図である。
【図８】図８は、第３実施形態にかかる金属板１の正面模式図である。
【図９】図９は、第４実施形態にかかる金属板１に背面から光を照射した状態を示す正面写真である。
【図１０】図１０は、第５実施形態にかかる金属板１の断面図である。
【図１１】図１１は、第６実施形態にかかる表示部材１００を表す側面概念図である。
【図１２】図１２は、第６実施形態にかかる別実施形態の表示部材１００を表す側面概念図である。
【図１３】図１３は、第７実施形態にかかる表示部材１００を表す側面概念図である。
【図１４】図１４は、第８実施形態にかかる表示部材１００を表す概念斜視図である。
【発明を実施するための形態】
【００３２】
本発明にかかる金属板１及び表示部材１００の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。なお、図１及び図２を除き、金属板１の貫通孔１０は省略されている。また、図１又は図２にかかる金属板１の貫通孔１０は、図面上の視認性向上のため、実際の金属板の貫通孔より大きく、かつピッチも広く描かれている。
【００３３】
（第１実施形態）
第１実施形態にかかる金属板１が図１に示されている。図１は、第１実施形態にかかる金属板１の正面模式図である。第１実施形態にかかる金属板１は、主として、金属板１に複数の貫通孔１０が形成されており、任意に表面に装飾２０が施されている。
【００３４】
金属板１は、金属であれば特に限定するものではない。しかしながら、加工性、装飾容易性、保存性等を考慮すると、ステンレス、アルミニウム、チタン、真鍮、ニッケル、コバール、スチール等からなる金属板１を使用するとよい。使用される板の厚さは５．０ｍｍ以下であり、好ましくは１．０ｍｍ以下、より好ましくは０．３ｍｍ以下であり、さらに好ましくは０．１５ｍｍ以下である。０．１５ｍｍ以下であると斜めから視認した場合であっても、貫通孔の内壁によって視界が妨げられる可能性が低いため、より背面側を視認しやすくなるからである。０．１０ｍｍ又は０．０５ｍｍのものを使用してもよい。なお、金属板１は、平面であっても湾曲していてもよい。
【００３５】
貫通孔１０は、直径が１．０ｍｍ以下の大きさであり、好ましくは０．５ｍｍ以下、より好ましくは０．２ｍｍ以下、さらに好ましくは０．１ｍｍ以下である。背面側から光を照射しなくても背面側が透けて見えてしまう可能性を低減し、また表面の装飾に孔が形成されていることを容易に認識しづらくするためには１．０ｍｍ以下に形成することが好ましい。それぞれ隣接する貫通孔１０とのピッチは、貫通孔１０の直径に対して２倍以下のピッチであることが好ましい。また、絶対的距離として隣接する貫通孔１０との間隔は０．５ｍｍ以下、より好ましくは０．２ｍｍ以下であることが好ましく、０．１５ｍｍ又は０．１ｍｍ以下であってもよい。直径の下限については明らかではないが、少なくとも０．０６ｍｍの直径でかつ０．１２のピッチでも効果を有することが実験により確かめられている。なお、隣接する貫通孔１０のピッチとは、貫通孔１０の中心間の距離をいい、隣接する貫通孔１０との間隔とは、図１のαの距離をいう。かかる範囲に貫通孔１０のピッチ又は間隔を設定することによって、光を照射しない場合には、背面側の物体は視認することができず、背面側から光を照射した場合に背面側の物体全体が透けて視認できるようにすることができる。貫通孔１０の形態は特に限定するものではなく、円形、楕円形、四角形、三角形の他、星形等いずれの形態であってもよい。この円形以外の場合、直径とは、内径で最も広い幅を有する部分の長さを指す。また、貫通孔の配列は、必ずしも格子状である必要はなく、縦の一列に対して隣接する縦の一列が縦方向に１／４〜１／２ピッチずらして配置したりしてもよい。また、複数の列のそれぞれの間隔が異なるものであってもよい。また、前述したピッチ又は間隔を保持している限り、ランダムに配置してもよい。また、孔の加工方法は、限定するものではなく、パンチング加工、マシニング加工、エッチング加工、放電加工、電子ビーム加工、レーザー加工その他の加工方法を使用することができる。貫通孔１０は、装飾が施された装飾面と重なりあうように少なくとも一部が形成される。
【００３６】
表面の装飾２０は、金属板１の表面に、凹凸による面、線又は点、又は外周の境界の段差による凹面又は凸面の１つ又は２つ以上の組み合わせで形成されている。凹凸の組み合わせによる装飾とすることにより、背面から光が照射されていない場合には、はっきりと装飾を確認することができ、背面から光を照射することによって装飾の視認性を低減し、又は視認できなくすることができる。装飾としては、記号、模様、文字又は絵その他の情報表示等、金属板１の表面に凹凸が形成されていれば、その形態は限定するものではない。凹凸の加工方法としては、プレス加工、レーザー加工、切削加工等の物理的処理であっても、化学研磨、エッチング等の化学的処理であってもよい。切削等の加工の例としては、例えば、ヘアライン加工、スピン加工、バイブレーション加工、ブラスト加工等の切削痕による加工痕によって金属表面に凹凸を設けて装飾を施す方法を採用することができる。表面研磨加工による加工痕により装飾２０を形成する場合には、マスキングにより所定の模様等を表現するマスクブラスト、マスクスピン又はマスクヘアライン等によって行っても良い。また、イオンプレーディング、蒸着、スパッタリング等の物理気相成長法（ＰＶＤ）、プラズマＣＶＤ等の化学気相成長法（ＣＶＤ）等に必要に応じてマスキングにより、記号、模様、文字又は絵その他の情報表示を装飾として表示させることができる。また、面による凹凸により装飾を施す場合は、図７に示すように、プレス、パンチやエンボス加工によって加工する方法を採用してもよい。外周の境界の段差とは、装飾部とそれ以外の部分との境界における高さの差を示す。凹凸の凹部と凸部の段差の差は、２．０ｍｍ以下、より好ましくは１．０ｍｍ以下であることが好ましい。１．０ｍｍ以下であれば、ほぼ完全に視認できなくすることができる。エッチング加工においては凹凸の差が０．３ｍｍ以下程度に作製することが好ましい。図１においては、ヘアライン加工２１、スピン加工２２及びエッチング加工２３を組み合わせた例を示している。また金属プレスやエンボスロールによって凹凸を作製して装飾を施しても良い。例えば、文字Ａを象った部分のみプレスし、Ａの文字が浮き出るようなエンボス加工を行うといった具合である。なお、表面の装飾加工と貫通孔の穿設加工のいずれを先に加工するかは限定するものではなく、それぞれの加工方法に応じていずれを先に加工するかが決定される。
【００３７】
さらに、金属板１に様々な質感を与えるために、金属板１の一部又は全部にブラスト処理を施したり、着色してもよい。ブラスト処理は、金属板１の広い範囲にブラスト処理したブラスト処理面を形成することによって、表面全体の質感を変更させることができる。また、金属板１の表面には、全体に様々な着色や処理を行ってもよい。着色方法としては、金属の種類によって、染色、ダイレクト印刷、印刷、塗装、転写、カラーアルマイト処理、酸化被膜処理、酸化着色、レーザー加工、イオンプレーディング、蒸着、スパッタリング等の物理気相成長法（ＰＶＤ）、プラズマＣＶＤ等の化学気相成長法（ＣＶＤ）等のメッキ処理等の種々の手段を採用することができる。
【００３８】
また、装飾及び貫通孔の加工が終了した金属板に、物理蒸着処理（Ｐｈｙｓｉｃａｌ  Ｖａｐｏｒ  Ｄｅｐｏｓｉｔｉｏｎ）、又は化学蒸着処理（Ｃｈｅｍｉｃａｌ  Ｖａｐｏｒ  Ｄｅｐｏｓｉｔｉｏｎ）を行っても良い。
【００３９】
以上のようにして作製された金属板１は、背面側から光を照射した場合としていない場合とで全く異なる視認性を与える金属板１とすることができる。なお、光の光源は、蛍光灯、ＬＥＤ等の人工光源であってもよいし、太陽等の自然光源であってもよい。金属板１の背面に情報表示を有する背面側装飾部材を配置した状態で背面から光を照射していない場合には、図２に示すように、表面の装飾をはっきり視認することができ、金属板１の背面側の物体は視認することができない。一方で、背面側から光が照射されると、図３に示すように、装飾は視認できなくなるか、又は装飾の視認性が低減され、非常に見難くなるとともに、背面側の物体を視認することができるようになる。
【００４０】
第１実施形態の参考写真を図４及び図５に示す。図４は、金属板１の背面に背面側装飾部材３０を配置し、背面側から光を照射してない状態を示す。図５は、金属板１の背面に背面側装飾部材３０を配置し、背面側から光を照射している状態を示す。図４によれば、背面側の背面側装飾部材３０を全く視認することができず、表面の模様は視認することができることがわかる。図５によれば、背面側の背面側装飾部材３０を視認することができ、表面の模様は視認することができなくなっていることがわかる。
【００４１】
（第２実施形態）
第２実施形態にかかる金属板１が図６に示されている。第２実施形態にかかる金属板１は、図６Ａに示すように、第１実施形態にかかる金属板１と同様の貫通孔（図示しない。）が形成されている金属板１と、その背面に配置される背面側装飾部材３０とを備えている。金属板１には、情報表示としてロゴからなる文字情報等の装飾２０（本実施形態においては、「Ｖａｃａｎｃｙ」）が第１実施形態と同様の加工法によって形成されている。文字情報等を形成するために、例えば、ブラスト加工、ヘアライン・スピン加工においてはマスク加工を行なうことで容易に作製することができる。よって、全体が金属調でありながら、装飾２０がされている部分は反射率等の違いにより周囲と識別可能なロゴとして認識することができる。
【００４２】
背面側装飾部材３０には、金属板１に形成されている文字情報とは異なる情報表示が施された背面側装飾３１（本実施形態においては、「Ｏｃｃｕｐｉｅｄ」）で形成されている。背面側装飾部材３０は、光が透過可能な透明なプラスチックシート、フィルム、紙、和紙又は乳半板、文字抜き金属板（例えば、エッチング加工による文字抜き）、ガラス等に印刷、カッティングシートの貼付等を施したもの等を使用することができる。なお、ロゴ等の場合は、切り文字であっても、抜き文字であってもよい。また、背面側装飾部材３０として、それ自体が発光する電飾表示板や、表示や装飾形状が変化する可動電飾装置等を使用してもよい。かかる金属板１は、図６Ｂに示すように、前面側に金属板１、背面側に背面側装飾部材３０が重ねて配置される。金属板１と背面側装飾部材３０は、当接して配置してもよいし、一定の間隔を有するように配置してもよい。
【００４３】
こうして作製された金属板１は、金属板１の背面にロゴを有する背面側装飾部材３０を配置した状態において、背面から光を照射していない場合には、図６Ｂに示すように、表面の金属板１のロゴ（Ｖａｃａｎｃｙ）をはっきり視認することができ、背面側のロゴ（Ｏｃｃｕｐｉｅｄ）を認識することはできない。また、背面側から光を照射している場合には、図６Ｃに示すように、背面側の背面側装飾部材３０のロゴ（Ｏｃｃｕｐｉｅｄ）を視認することができ、表面の金属板１のロゴ（Ｖａｃａｎｃｙ）は認識することができなくなる。
【００４４】
なお、第２実施形態において、図７に示すように、パンチやエンボス加工によって、面による凹凸により装飾を施した金属板１を使用してもよい。
【００４５】
（第３実施形態）
第３実施形態にかかる金属板１が図８に示されている。図８は、第３実施形態にかかる金属板１の正面模式図である。
【００４６】
金属板１及び貫通孔１０の形態は、第１実施形態と同様であるので、説明を省略する。第３実施形態にかかる金属板は、貫通孔１０自体の配列で記号、模様、文字又は絵その他の情報表示等を形成している。図８では、「Ｅ」の文字を貫通孔１０で形成し、視認する者にＥの文字を視認させることができる。
【００４７】
かかる構成を採用する金属板１によれば、背面から光を照射していない場合には、金属板１の背面側の物体を視認することができず、Ｅの文字も視認できないか、非常に見づらい状態である一方、表面の装飾をはっきり視認することができる。一方で、背面側から光が照射されると、表面の装飾が視認しずらくなるとともに、背面側の物体を視認することができるようになるとともに、Ｅの文字を明瞭に視認させることができるようになる。
【００４８】
（第４実施形態）
第４実施形態にかかる金属板１が図９に示されている。第４実施形態にかかる金属板１は、第１実施形態〜第３実施形態にかかる金属板１の背面に、第１実施形態で説明した貫通孔１０が形成された第２金属板１ａを背面に配置したものである。背面に配置される第２金属板１ａには、装飾は施されていても、施されていなくてもいずれでも良い。このように２枚の金属板１、１ａを重ねることによって、図９に示したように、モアレ模様を表面に視認させることができ、装飾効果をより向上させることができる。このモアレ模様は、２枚の金属板の角度を変更することで変化させることができる。
【００４９】
（第５実施形態）
第５実施形態にかかる金属板１が図１０に示されている。図１０は、第５実施形態にかかる金属板１の断面図である。第５実施形態にかかる金属板１は、第１実施形態から第４実施形態にかかる金属板１の正面又は背面に貫通孔１０を覆うように、透明な樹脂やガラスで被覆した被覆層を形成したり、ガラス又はプラスチック等の板からなるカバー部材を設けたりしたものである。
【００５０】
図１０Ａには、金属板１に透明な樹脂やガラスで被覆した被覆層９０が設けられた例が示されている。被覆層９０を形成するには、例えば、樹脂を塗布又はスプレーしたり、又は金属板をインサートとして樹脂インサート成形やガラスインサート成形をしたりすることによって金属板に樹脂やガラスを被覆することができる。インサート成形においては、樹脂又はガラスの内部だけでなく、表面に配置された状態も含む。
【００５１】
図１０Ｂには、金属板１に成形された樹脂板やガラス板を金属板１が積層された状態に形成されたものが示されている。カバー部材９１を形成するには、成形された樹脂板やガラス板を貼着したり、フィルムやシートを貼付することによって、カバー部材９１とすることができる。
【００５２】
このような被覆層９０やカバー部材９１を設けることによって、貫通孔が塵やダストによって目詰りする可能性を低減することができる。また、金属板１から樹脂やガラス等に出射した光が反射したり、被覆層９０やカバー部材９１に入射した光が内部で拡散したりすることで、金属板１の表面の装飾をさらに見えづらくすることができる。
【００５３】
この被覆層９０又はカバー部材９１には、有色透明な素材を用いてもよい。また、印刷や装飾シートを貼付したり、スピン加工、レーザー加工、彫刻加工等の切削加工痕によって情報表示を施してもよい。正面側の被覆層９０又はカバー部材９１に情報表示を施すことによって、背面側に光の照射にかかわらず、常に表示可能な情報表示を設けることができる。一方、背面側の被覆層９０又はカバー部材９１に情報表示を施すことによって、背面側装飾部材として機能させることができる。
【００５４】
さらに、図１０Ｃに示すように、樹脂インサートやガラスインサートの際に、情報表示が施されたシートやフィルム９３を同時にインサートして背面側装飾部材としてもよい。
【００５５】
（第６実施形態）
第６実施形態にかかる表示部材１００が図１１に示されている。図１１は、第６実施形態にかかる表示部材１００の断面図である。第６実施形態にかかる表示部材１００は、主として、第１実施形態〜第５実施形態にかかる金属板１と照明器具５０と、を備えている。金属板１に関しては、第１実施形態〜第５実施形態で説明したので、説明を省略する。
【００５６】
照明器具５０は、光を出射可能なものであれば、特に限定するものではない。例えば、照明器具５０には、可動電飾品や映像機器等も含む。また、光源も限定するものではなく、蛍光灯、ＬＥＤ等いかなるものであってもよい。また、点光源であっても、面光源であってもよい。照明器具５０は、金属板１の背面に配置される。
【００５７】
かかる構成を有する表示部材１００によれば、第１実施形態にかかる金属板１を使用した場合には、消灯時には金属板１の装飾等によって、視認した人間に表面の装飾を認識させる表示部材１００として使用することができる。一方で、点灯時には照明器具５０の光が金属板１を介して正面側に出射するので照明として使用することができる。
【００５８】
また、図１２に示すように、照明器具５０と金属板１との間に間隔を設けて物体６０を配置すれば、照明器具５０の点灯時には、内部の物体６０を視認させることができる。例えば、店舗の商品等を物体６０として配置しておいて、閉店時には消灯して表面の模様を人間に視認させ、店が開店した場合には照明器具５０を点灯して内部の商品を視認可能にするといった使用方法をすることができる。
【００５９】
（第７実施形態）
第７実施形態にかかる表示部材１００が図１３に示されている。第７実施形態は、主として、第１実施形態〜第５実施形態にかかる金属板１と任意に配置される背面側装飾部材８０と、照明器具５０と、を備えている。金属板１は第１実施形態と同様であり、照明器具５０は第５実施形態と同様であるので、説明を省略する。
【００６０】
背面側装飾部材８０は、例えば、光が透過可能な透明なプラスチックシート、フィルム、紙、和紙又は乳半板、文字抜き金属板（例えば、エッチング加工による文字抜き）、ガラス等が含まれる。プラスチックシート、フィルム、紙、和紙又は乳半板、文字抜き金属板（例えば、エッチング加工による文字抜き）、ガラス等は、記号、模様、文字又は絵その他の情報を表示しておいてもよい。また、不透明な素材のシート、フィルム、紙又は板を使用し、記号、模様、文字又は絵その他の情報を切り出して、背面から光を照射することによって切り出した部分が光透過性となるような光透過性シート、フィルム、紙又は板であってもよい。背面側装飾部材８０は金属板１と照明器具５０の間に配置される。
【００６１】
かかる表示部材によれば、消灯時には金属板１の装飾等によって、視認した人間に表面の装飾を認識させる表示部材１００として使用することができ、点灯時には、照明器具５０の光が背面側装飾部材８０及び金属板１を介して視認されるので、背面側装飾部材８０を視認することができる。
【００６２】
従って、例えば赤色の有色透明なプラスチックシートを使用した場合には、点灯によって全体が赤い色の照明装置として使用することができる。また、例えば、プラスチックシートに絵や切り文字抜き文字等からなる広告の情報表示を施しておけば点灯することによって、広告の情報表示を視認させるといった使用方法が考えられる。
【００６３】
なお、背面側装飾部材８０と照明器具５０に代えて、背面側装飾部材としての機能を有し、装飾自体が発光する電飾表示板や、表示や装飾形状が発光するとともに変化する可動電飾装置等を設けても良い。かかる構成を採用することによって、装飾機能と照明機能の両方の機能を有するので、電飾表示板又は可動電飾装置のみを設置することで同様の効果を得ることができる。
【００６４】
（第８実施形態）
第８実施形態にかかる表示部材１００が図１４に示されている。第８実施形態は、主として、第１実施形態〜第５実施形態にかかる金属板１と任意に配置される背面側装飾部材８０と照明器具５０と、を備えている。金属板１は第１実施形態に対して、円筒状に形成されている点が異なる。その他の構成は同様である。
【００６５】
背面側装飾部材８０は、例えば、光が透過可能な透明なプラスチックシート、フィルム、紙、和紙又は乳半板、文字抜き金属板（例えば、エッチング加工による文字抜き）、ガラス等が含まれる。プラスチックシート、フィルム、紙、和紙又は乳半板、文字抜き金属板（例えば、エッチング加工による文字抜き）、ガラス等は、記号、模様、文字又は絵その他の情報を表示しておいてもよい。また、不透明な素材のシート、フィルム、紙又は板を使用し、記号、模様、文字又は絵その他の情報を切り出して、背面から光を照射することによって切り出した部分が光透過性となるような光透過性シート、フィルム、紙又は板であってもよい。光透過性シート、フィルム、紙又は板は金属板１と照明器具５０の間に配置される。
【００６６】
照明器具５０は、円筒状の金属板１の略中心に配置され、電球、蛍光灯又はＬＥＤ等が挙げられる。照明器具５０は、３６０°に光を照射可能なものであってもよいし、一定方向のみに光を照射可能なものを内部で回転させてもよい。
【００６７】
かかる表示部材によれば、消灯時には金属板１の装飾等によって、視認した人間に表面の装飾を認識させる表示部材１００として使用することができ、点灯時には、照明器具５０の光が背面側装飾部材８０及び金属板１を介して視認されるので、背面側装飾部材８０を視認することができる。
【００６８】
従って、例えば赤色の有色透明なプラスチックシートを使用した場合には、点灯によって３６０°方向に点灯可能であって、かつ全体が赤い色の照明装置として使用することができる。また、例えば、プラスチックシートに絵や切り文字抜き文字等からなる広告の情報表示を施しておけば点灯することによって、３６０°の方向に広告の情報表示を視認させることができる。
【００６９】
なお、本第８実施形態においても、背面側装飾部材８０と照明器具５０に代えて、装飾としての機能を有し、装飾自体が発光する電飾表示板や、表示や装飾形状が発光するとともに変化する可動電飾装置等を設けても良い。かかる構成を採用することによって、装飾と照明機能のいずれの機能も有するので、電飾表示板又は可動電飾装置のみを設置することで同様の効果を得ることができる。
【００７０】
（第９実施形態）
前述した第５実施形態から第８実施形態にかかる表示部材においては、金属板１に装飾が施されている金属板を用いたが、表面に装飾が施されていない金属板１を使用してもよい。金属板１のみが変更するだけで、それぞれ図１２から図１４と同様に現れるので図１２及び図１４を利用して説明する。かかる金属板１を使用することによって、背面に配置された照明器具５０が点灯していない場合には、金属板１の表面のみが視認でき、背面の照明器具５０が点灯された場合には、背面側を視認することができる。すなわち、第５実施形態において表面に装飾が施されていない金属板１を使用した場合には、図１２に示すように、照明器具５０と金属板１との間に間隔を設けて物体６０を配置すれば、照明器具５０の点灯時には、内部の物体６０を視認させることができる。例えば、店舗の商品等を物体６０として配置しておいて、閉店時に消灯すれば単なる金属表面のみが視認できる。第６実施形態において表面に装飾が施されていない金属板１を使用した場合には、図１３に示すように、消灯時には金属板１の表面のみが視認でき、点灯時には、照明器具５０の光が背面側装飾部材８０及び金属板１を介して視認されるので、背面側装飾部材８０を視認することができる。従って、例えば赤色の有色透明なプラスチックシートを使用した場合には、点灯によって全体が赤い色の照明器具として使用することができる。また、例えば、プラスチックシートに絵や切り文字抜き文字等からなる広告の情報表示を施しておけば点灯することによって、広告の情報表示を視認させることができる。第７実施形態において表面に装飾が施されていない金属板１を使用した場合には、図１４に示すように、消灯時には金属板１の表面のみを認識させる表示部材１００として使用することができ、点灯時には、照明器具５０の光が背面側装飾部材８０及び金属板１を介して視認されるので、背面側装飾部材８０を３６０°方向に点灯可能であって、かつ全体が赤い色の照明器具として使用することができる。また、例えば、プラスチックシートに絵や切り文字抜き文字等からなる広告の情報表示を施しておけば点灯することによって、３６０°の方向に広告の情報表示を視認させることができる。
【００７１】
なお、本発明は上述した実施形態に何ら限定されることはなく、本発明の技術的範囲に属する限り種々の態様で実施し得ることはいうまでもない。
【産業上の利用可能性】
【００７２】
上述した実施の形態で示すように、表示部材として利用することができる。
【符号の説明】
【００７３】
１０…貫通孔、２０…装飾、２１…ヘアライン加工、２２…スピン加工、２３…エッチング加工、３０…背面側装飾部材、３１…背面側装飾、５０…照明器具、６０…物体、８０…背面側装飾部材、９０…被覆層、９１…カバー部材、９３…フィルム、１００…表示部材
【図１】
0006777934.tif 000002
【図２】
0006777934.tif 000003
【図３】
0006777934.tif 000004
【図４】
0006777934.tif 000005
【図５】
0006777934.tif 000006
【図６】
0006777934.tif 000007
【図７】
0006777934.tif 000008
【図８】
0006777934.tif 000009
【図９】
0006777934.tif 000010
【図１０】
0006777934.tif 000011
【図１１】
0006777934.tif 000012
【図１２】
0006777934.tif 000013
【図１３】
0006777934.tif 000014
【図１４】
0006777934.tif 000015